(57)【要約】【課題】各被験者の症状と重症度に応じた、認知症の進行防止のためのトレーニング（問題の提示）を可能とする認知症予防システムを提供する。【解決手段】認知症を予防するためのトレーニングに用いる問題を提示する認知症予防システムは、認知症の進行に関して被験者をグループ分けし、当該グループ毎に問題に関する情報を管理する問題データベース（３３）を格納するデータ記憶手段（３０）と、被験者に提示する問題を決定する制御手段（１１）と、を備える。制御手段は、問題データベースを参照して、被験者が属するグループに基づいて被験者に提示する問題を決定し、提示する。【選択図】図１
2015180933.tif 000002
【特許請求の範囲】
【請求項１】
認知症を予防するためのトレーニングに用いる問題を提示する認知症予防システムであって、
認知症の進行に関して被験者をグループ分けし、当該グループ毎に前記問題に関する情報を管理する問題データベースを格納するデータ記憶手段と、
被験者に提示する問題を決定する制御手段と、を備え、
前記制御手段は、前記問題データベースを参照して、被験者が属するグループに基づき問題を決定し、前記決定した問題を前記被験者に提示する
ことを特徴とする認知症予防システム。
【請求項２】
前記グループは、被験者の性別、年齢及び認知症の進行レベルに基づいて分類される、請求項１記載の認知症予防システム。
【請求項３】
問題毎に、被験者の問題に対する解答結果及び解答までの経過時間を管理する結果データベースをさらに備え、
前記制御手段は、被験者毎に及び問題毎に、問題に対する被験者の解答結果及び解答までの経過時間を前記結果データベースに記録する、請求項１記載の認知症予防システム。
【請求項４】
表示手段をさらに備え、
前記制御手段は、前記決定した問題を前記表示手段に表示させる、請求項１ないし３のいずれかに記載の認知症予防システム。
【請求項５】
外部情報端末と通信するためのインターフェース部をさらに備え、
前記制御手段は、前記インターフェース部を介して、前記決定した問題を前記外部情報端末に送信する、請求項１ないし３のいずれかに記載の認知症予防システム。
【請求項６】
認知症を予防するためのトレーニングに用いる問題を提示する認知症予防システムの制御手段を制御するプログラムであって、
前記認知症予防システムは、認知症の進行に関して被験者をグループ分けし、当該グループ毎に前記問題に関する情報を管理する問題データベースを格納しており、
前記プログラムは、前記制御手段を、前記問題データベースを参照して、被験者が属するグループに基づいて問題を決定し、前記決定した問題を前記被験者に提示するように制御する、
ことを特徴とするプログラム。
【請求項７】
前記グループは、被験者の性別、年齢及び認知症の進行レベルに基づいて分類される、請求項６記載のプログラム。
【請求項８】
前記認知症予防システムは、問題毎に、被験者の問題に対する解答結果及び解答までの経過時間を管理する結果データベースをさらに備え、
前記プログラムは、前記制御手段を、被験者毎に及び問題毎に、問題に対する被験者の解答結果及び解答までの経過時間を前記結果データベースに記録するように制御する、請求項６記載のプログラム。
【請求項９】
前記認知症予防システムは表示手段をさらに備え、
前記プログラムは、前記制御手段を、前記決定した問題を前記表示手段に表示させるように制御する、請求項６ないし８のいずれかに記載のプログラム。
【請求項１０】
前記認知症予防システムは外部情報端末と通信し、
前記プログラムは、前記制御手段を、前記決定した問題を前記外部情報端末に送信するように制御する、請求項６ないし８のいずれかに記載のプログラム。
【発明の詳細な説明】
【技術分野】
【０００１】
本発明は、コンピュータを用いて、認知症の進行を防止するためのトレーニングに用いる問題を提供するシステムに関する。
【背景技術】
【０００２】
認知症とは、後天的な脳の器質的障害により、いったん正常に発達した知能が低下した状態をいう。認知症をきたす疾患には、進行性の神経変性疾患であるアルツハイマー型認知症（ＡＤ）をはじめとして数多くの疾患が知られている。我が国では、ＡＤの治療薬として４剤が認められているが、いずれも対症療法に過ぎないのが現状である。神経変性疾患の発症機序の詳細も未だ不明であるが、神経細胞が障害される前にいち早く発見し、正しい処置を行うことが重要である。
【０００３】
このような状況から、認知症に対しては以前から様々な非薬物療法が行われ、研究によって認知症の発症予防、進行予防に対する効果が実証されている。
【０００４】
一方、個々の患者の認知症の進行度を判断するツールとして、本願の発明者の一人である浦上により開発されたもの忘れ相談プログラム（MSP）（特許文献１）、ＴＤＡＳ（Touch Panel Type Dementia Assessment Scale：タッチパネル式認知機能評価法）がある（特許文献２参照）。このＴＤＡＳによれば、タッチパネル式コンピュータを用いて、専門職者でなくても簡単に短時間で検査が実施を行うことができる。評価項目としては「単語再認」「口頭命令」「図形認識」「概念理解」「名称記憶」「見当識」「お金の計算」「道具の理解」「時計の理解」の９つの項目を含む。音声と画像の対話形式で行うため非侵襲的で被験者のストレスも少ない検査を実現できる。
【先行技術文献】
【特許文献】
【０００５】
【特許文献１】特許３５１５９８８号
【特許文献２】特許４１７１８３２号
【発明の概要】
【発明が解決しようとする課題】
【０００６】
認知症予防（進行予防）のための研究が全国様々な施設等で行われているが、認知症の症状には様々な種類があり、障害される機能や進行度、進行過程は人それぞれである。現在、認知症予防（進行予防）のために全国様々な施設等で行われている取り組みは、個々の症状や重症度に応じた種類やレベルのものではない。
【０００７】
本発明は、各被験者の症状と重症度に応じた、認知症の進行防止のためのトレーニング（問題の提示）を可能とする認知症予防システムを提供することを目的とする。
【課題を解決するための手段】
【０００８】
本発明に係る認知症予防システムは、認知症を予防するためのトレーニングに用いる問題を提示する認知症予防システムであって、認知症の進行に関して被験者をグループ分けし、当該グループ毎に問題に関する情報を管理する問題データベースを格納するデータ記憶手段と、被験者に提示する問題を決定する制御手段と、を備える。制御手段は、問題データベースを参照して、被験者が属するグループに基づき問題を決定し、決定した問題を被験者に提示する。
【０００９】
本発明に係るプログラムは、認知症を予防するためのトレーニングに用いる問題を提示する認知症予防システムの制御手段を制御するプログラムである。認知症予防システムは、認知症の進行に関して被験者をグループ分けし、当該グループ毎に問題に関する情報を管理する問題データベースを格納している。プログラムは、制御手段を、問題データベースを参照して、被験者が属するグループに基づいて問題を決定し、決定した問題を被験者に提示するように制御する。
【発明の効果】
【００１０】
本発明によれば、被験者一人一人の症状と重症度に応じた、認知症の進行防止のためのトレーニング（問題の提示）を実施することがきる。
【図面の簡単な説明】
【００１１】
【図１】本発明に係る認知症予防装置の構成の一例を示す図
【図２】被験者のグループ分けの考え方を説明するための図
【図３】被験者の性別、年齢、認知症の進行レベルに基づいてグループ分けされた被験者のグループを説明するための図
【図４】被験者データベースのフォーマットを示す図
【図５】問題データベースのフォーマットを示す図
【図６】解答結果データベースのフォーマットを示す図
【図７】認知症予防装置の動作を示すフローチャート
【図８】認知症予防装置による認知症予防プログラム実行時の初期メニュー画面を示す図
【図９Ａ】認知症予防装置により提示される問題の例を示す図
【図９Ｂ】認知症予防装置により提示される問題の例を示す図
【図９Ｃ】認知症予防装置により提示される問題の例を示す図
【図９Ｄ】認知症予防装置により提示される問題の例を示す図
【図９Ｅ】認知症予防装置により提示される問題の例を示す図
【図９Ｆ】認知症予防装置により提示される問題の例を示す図
【図９Ｇ】認知症予防装置により提示される問題の例を示す図
【図９Ｈ】認知症予防装置により提示される問題の例を示す図
【図９Ｉ】認知症予防装置により提示される問題の例を示す図
【図９Ｊ】認知症予防装置により提示される問題の例を示す図
【図９Ｋ】認知症予防装置により提示される問題の例を示す図
【図９Ｌ】認知症予防装置により提示される問題の例を示す図
【図９Ｍ】認知症予防装置により提示される問題の例を示す図
【図１０】トレーニング結果の表示例を示す図
【図１１】本発明の実施の形態２における認知症予防システムのネットワーク構成を示す図
【発明を実施するための形態】
【００１２】
以下、添付の図面を参照して、本発明に係る認知症予防システムの実施形態を説明する。
【００１３】
以下に説明する認知症予防システムは、認知症の予防、認知症の進行の遅延、改善のためのトレーニング（以下「認知症予防プログラム」ともいう）に使用される装置である。認知症予防システムは被験者に対して、所定の問題（質問）群を順次提示（表示）する。被験者は、提示された問題に対して順次解答することでトレーニングを実施する。このトレーニングを定期的に（例えば、１日１回かつ週２回以上）繰り返すことによって、認知症の予防、認知症の進行の遅延、改善を図ることが期待できる。
【００１４】
（実施の形態１）
１．構成
【００１５】
図１は、本発明に係る認知症予防システムの一例である認知症予防装置の構成を示した図である。認知症予防装置１はタブレット型コンピュータで構成されるが、タブレット型コンピュータに限らず、パーソナルコンピュータ（ノート型、デスクトップ型）、スマートフォンのような他の形態の情報処理装置で構成されもよい。
【００１６】
認知症予防装置１は、その全体動作を制御する制御部１１と、文字や画像等の情報を表示する表示部１７と、ユーザが操作を行う操作部１９と、データやプログラムを記憶するデータ記憶部３０と、外部機器やネットワークを通信するためのインターフェース部２５とを備える。
【００１７】
表示部１７は例えば、液晶ディスプレイや有機ＥＬディスプレイで構成される。操作部１９はタッチパネルやボタンを含む。操作部１９はさらにキーボードやマウス等を含んでもよい。
【００１８】
インターフェース部２５は、プリンタ等の外部機器やネットワークに接続するための手段である。インターフェース部２５にプリンタを接続した場合、そのプリンタに印刷させることが可能となる。また、インターフェース部２５を介してネットワークに接続し、ネットワークを経由して外部機器との間でデータのやりとりを行うことも可能である。インターフェース部２５は、ＵＳＢ、ＨＤＭＩ（登録商標）、ＩＥＥＥ１３９４、ＩＥＥＥ８０２．１１、ＷｉＦｉ等の所定の規格に準拠してデータ通信を行う手段である。また、インターフェース部２５は、３ＧやＬＴＥ等の通信規格に準拠して通信を行う手段であってもよい。
【００１９】
制御部１１は、後述する機能を実現するため、認知症予防装置１の全体動作を制御する。制御部１１はＣＰＵやＭＰＵで構成され、データ記憶部３０に記憶された所定の制御プログラム（ＯＳ，アプリケーションプログラム）を実行することで種々の機能を実現する。制御部１１で実行される制御プログラムは通信回線を通じてネットワークから提供されてもよいし、またはＣＤ−ＲＯＭ等の記録媒体を介して提供されてもよい。なお、制御部１１の機能はハードウェアとソフトウェアの協働により実現してもよいし、専用のハードウェアのみで実現してもよい。
【００２０】
データ記憶部３０はデータやプログラムを記憶する手段であり、制御部１１で実行される制御プログラム、種々のデータベース、データを格納する。データ記憶部３０は例えばハードディスク（ＨＤＤ）や半導体記憶装置（ＳＳＤ）で構成される。本実施形態では、データ記憶部３０は、制御プログラム３１、被験者データベース３２、問題データベース３３、解答結果データベース３４、及び問題データファイル３５を格納している。各種データベース３２〜３４および問題データファイル３５については後述する。
【００２１】
１．１  認知症の程度に基づくグループ分け
本実施形態では、被験者を認知症の進行レベルに基づきグループ分けしている。そして、認知症予防装置１は、被験者に問題を提示する際には、被験者のグループに関連づけられた問題群の中から選択した問題をその被験者に対して提示する。以下、本実施形態における、被験者のグループ分けの考え方について図２、図３を参照して説明する。
【００２２】
被験者のグループ分けは所定の条件に基づいて行う。具体的には、図２に示すように、認知症の進行レベルに加えて、被験者の性別と年齢をも考慮してグループ分けを行っている。
【００２３】
すなわち、被験者が男性であるか女性であるか、年齢が６５歳未満、６５歳以上〜７４歳以下、７５歳以上であるか、及び認知症の進行レベル（ＴＤＡＳの結果）に基づいて複数のグループに分類されている。
【００２４】
認知症の進行レベルは、例えばＴＤＡＳの結果 、すなわち、ＴＤＡＳの総得点および／または解答に要した経過時間（３０分以上か否か）の値に基づき判断される。例えば、ＴＤＡＳの得点が０〜６点のとき「正常」に、７〜１３点のとき「予備軍」に、１４点以上または経過時間が３０分以上のときは「認知症」にそれぞれ分類される。
【００２５】
性別、年齢、認知症の進行レベルに基づきグループ分けすることで、図３に示すように、被験者を１８のグループに分類している。そして、本実施形態では、被験者のグループ毎に問題群を関連づけている。すなわち、被験者のグループのそれぞれに、そのグループに属する被験者の進行レベル等に応じて選択（決定）された複数の問題が割り当てられている。
【００２６】
例えば、認知症進行レベルが「正常」（ＴＤＡＳ得点が６点以下）である被験者のグループ（グループ０１、０４、０７、１０、１３、１６）は、中級の問題（初級の問題よりも高度な問題）を含んでいる。これは、認知症の進行レベルが「正常」である場合、認知症は確認できないか又はきわめて低いことから、将来の発症を予防するための脳を刺激する問題を提示すればよいからである。
【００２７】
また、認知症進行レベルが「予備軍」（ＴＤＡＳ得点が７〜１３点）である被験者のグループ（グループ０２、０５、０８、・・・）には、初級の問題が割り当てられる。この初級の問題のレベルは中級よりも易しいレベルに設定される。
【００２８】
また、認知症進行レベルが「認知証」（ＴＤＡＳ得点が１４点以上または解答時間３０分以上）である被験者のグループ（グループ０３、０６、０９、・・・）には、認知症進行レベルが「予備軍」の被験者のグループの問題のレベルよりも易しいレベルの問題が割り当てられる。認知症の進行が「予備軍」の場合よりもさらに進行していることから、「予備軍」の場合よりも易しいレベルの問題を提示することで、被験者の問題への取り組み意欲を低下させないようにするためである。なお、認知症進行レベルが「認知症」である被験者のグループの問題群の中に、「予備軍」の被験者に提示される問題のレベルと同じレベルの問題を含めても良い。
【００２９】
性別、年齢、認知症の進行程度、障害された認知機能の種類の４つの条件に基づきグループ分けしたことにより、被験者の認知症進行レベルや障害された機能は同じであっても、被験者の性別や年齢に応じて異なる問題を提示でき、よりきめ細かい条件に基づいて問題を提示することが可能になる。
【００３０】
以上のように、認知症予防装置１は、被験者のグループ毎に出題する問題を対応づけており、被験者の状態（性別、年齢、認知症の程度）に応じた問題を提示できるようになっている。例えば、性別が男性、年齢が６５歳未満、および認知症進行レベルが正常（ＴＤＡＳ得点が６点以下）である被験者の場合、グループ０１に属すると特定され、グループ０１に関連づけられた問題が選択されて被験者に提示される。これにより、被験者に対して、性別、年齢および認知症の進行レベルを考慮し、より効果が期待できると考えられる問題を提供することが可能となる。
【００３１】
１．２  データベース
以下、本実施形態の認知症予防装置１で管理するデータベース（ＤＢ）３２〜３４について説明する。
【００３２】
（１）被験者データベース
図４に被験者データベース３２のフォーマットを示す。被験者データベース３２は、被験者の個人的な情報を管理するデータベースである。被験者データベース３２は、被験者ＩＤ、被験者の氏名、生年月日、性別、年齢、学歴（教育歴）、習慣、居住地域、グループ、認知症進行レベル等の認知症に関連すると考えられる因子を含む。
【００３３】
「被験者ＩＤ」は、被験者を個々に識別するための識別情報（ＩＤ）である。「習慣」は、被験者のアルコール摂取やタバコの喫煙についての習慣の有無や頻度を示す情報である。「居住地域」は、被験者の居住地域の種類を示す情報であり、例えば「都会」、「山間部」、「海辺」等を示す情報である。「グループ」は、所定の条件にもとづき、認知症の程度に関して被験者をグループ分けした場合の、被験者が属するグループを示す情報である。このグループについては後述する。
【００３４】
「認知症進行レベル」は、被験者の認知症の進行レベルを示す情報であり、本例では、ＴＤＡＳによる結果（ＴＤＡＳの得点、解答時間、どのような問題が間違えられているか等）を用いる。ＴＤＡＳでは、図形認識、概念理解、名称記憶、見当識、お金の計算、道具の理解、時計の理解等を確認するための問題が提示され、それらの問題に対する被験者の解答が得られる。認知症予防装置１は、被験者毎に、それらの問題に対する解答結果（解答の内容、正誤、経過時間等）を「認知症進行レベル」として管理する。なお、ＴＤＡＳの結果については、認知症予防装置１内部ではなく、外部サーバで管理してもよい。その場合、認知症予防装置１が必要に応じて外部サーバにアクセスし、それらの情報を取得するようにすればよい。
【００３５】
また、被験者データベース３２は、各被験者に対して、図形認識、概念理解及び／またはお金の計算において障害があるか否かの情報を格納している。なお、被験者データベース３２は、上記の項目の他に、被験者の体型（やせ型、普通、肥満等）、運動の有無、自動車運転の頻度等の生活背景情報、血圧、病歴等の身体関連情報を含んでも良い。
【００３６】
（２）問題データベース
前述のように、本実施形態では、被験者の条件（性別、年齢、認知症進行レベル、障害された機能）に応じて被験者をグループ分けし、被験者のグループに応じて問題を設定している。問題データベース３３は、各グループと、そのグループに割り当てられる問題群とを関連づけるデータベースである。図５は、問題データベース３３の構成を説明した図である。例えば、図５の例では、性別が男性で年齢が６５歳以下で、認知症進行レベルが６点以下の被験者に対するグループ０１には、問題１、問題２、問題３、・・・が割り当てられる。また、性別が男性で年齢が６５歳以上７５歳未満で、認知症進行レベルが６点以下の被験者に対するグループ０４には、問題１、問題３、問題５、・・・が割り当てられる。
【００３７】
このように、問題データベース３３により、各グループと、そのグループに対応する問題とを関連づけていることから、問題データベース３３を更新することで各グループに割り当てられる問題（すなわち、被験者に提示する問題）を適宜変更することができる。
【００３８】
各問題の内容については、問題データファイル３５として管理している。問題データファイル３５は個々の問題に関する情報を含む。具体的には、問題データファイル３５は、個々の問題について、問題を表示するための画像データに加えて、問題の種別や、解答時間の閾値、解答の選択肢、正答を示すデータ、等を含む。なお、問題データファイル３５は、個々の問題を識別情報（問題ＩＤ）により区別して管理している。「問題の種別」は、認知症で障害される図形認識、計算、記憶、実行機能、見当識等を刺激する問題、もしくは認知症に対して効果的であることが分かっている回想療法、音楽療法、RO（Reality Orientation：現実見当識訓練）療法等の認知機能を刺激する療法に関連する問題の種類を示す情報である。
【００３９】
（３）解答結果データベース
解答結果データベース３４は、被験者による問題に対する解答結果を管理するデータベースである。解答結果データベース３４は、各被験者について問題毎に解答した結果を管理する。図６に、解答結果データベース３４のフォーマットを示す。解答結果データベース３４は、問題ＩＤ、被験者ＩＤ、グループＩＤ、問題の実施日時、問題に対してなされた解答、正誤の結果、解答までに要した経過時間に関する情報を含む。
【００４０】
「問題ＩＤ」は、管理する問題を特定するＩＤである。「被験者」は、その問題に解答した被験者の被験者ＩＤを含む。「グループ」は被験者の属するグループのＩＤである。「実施日時」は、問題が実施された日時の情報である。「解答」は、問題に対してなされた解答の内容（選択肢）を示す情報である。「正誤」は、その問題に対する解答が正解であったか誤答であったかを示す情報である。「経過時間」は、問題提示から解答までに要した時間である。
【００４１】
２．動作
本実施形態の認知症予防装置１の動作を説明する。特に以下では、被験者に対して、認知症の進行の予防や改善を目的としたトレーニング用の問題を提示する機能に関して、図７のフローチャートを参照して動作説明を行う。
【００４２】
認知症予防装置１が起動されると、制御部１１は、図８に示すようなメニュー画面を表示部１７に表示する。このメニュー画面上で被験者により「ものトレ」（認知症予防トレーニング用のアイコン）のアイコンが選択されると、制御部１１は表示部１７に被験者のＩＤとパスワードの入力画面を表示する（Ｓ１１）。
【００４３】
被験者によりＩＤとパスワードが入力されると、制御部１１は、それらに基づき認証を行い、それらの情報が正当であると判断されると、被験者ＩＤに基づき被験者データベース３２を参照して、被験者の属するグループを特定する（Ｓ１２）。
【００４４】
制御部１１は、問題データベース３３を参照して、特定した被験者のグループに対応する問題群の中から適宜所定数の問題を選択する（Ｓ１３）。ここで、所定数は、被験者の負担とならないような数に設定される。例えば、トレーニング時間が１０分以内となるような問題数に設定される。
【００４５】
ここで、被験者の認知症進行レベルが「予備軍」である場合、さらに、被験者の認知症の内容に応じて問題を区別している。すなわち、図２に示すように、被験者の認知症進行レベルが「予備軍」である場合、被験者が、図形認識、概念理解及び／またはお金の計算において障害があるか否かによって選択する問題をさらに限定している。つまり、被験者が、図形認識、概念理解及び／またはお金の計算において障害がある場合は、計算以外の問題を選択するようにする。一方、これらについて障害がない場合、同じグループの問題群の中から、認知刺激、回想療法、音楽＆RO療法に関する問題を選択するようにする。問題データファイル３５では、個々の問題について「問題の種別」を管理していることから、この情報を参照することで、制御部１１は、その問題が計算の問題なのか、認知刺激、回想療法、音楽＆RO療法に関するものかを判断することができる。また、被験者データベース３２は、各被験者に対して、図形認識、概念理解及び／またはお金の計算において障害があるか否かの情報を格納している。よって、この被験者データベース３２の情報と、問題データファイル３５の「問題種別」とを参照することで、制御部１１は、被験者のグループに対応する問題群の中から、被験者の認知症の内容に応じた問題を選択することができる。
【００４６】
制御部１１は、選択した複数の問題を表示部１７に１つずつ表示し、被験者の解答を受ける（Ｓ１４）。なお、問題を提示する際に、画像表示にともない音声によるガイダンスを出力してもよい。
【００４７】
図９Ａ〜９Ｍに、本実施形態の認知症予防装置１により被験者に対して提示される、認知症予防トレーニング用の問題の画像の例を示す。
【００４８】
図９Ａ〜図９Ｂは、左右の写真の違うところを選ぶ問題である。被験者は、タッチやマウス等により、違うと思う箇所を指示することで解答する。図９Ｃは、正解した場合であり、「○」が表示されている。図９Ｄ、９Ｅは、写真の中で、ある特徴を探す問題である。被験者は、タッチやマウス等により、ある特徴があると思う箇所を指示することで解答する。
図９Ｆ、９Ｇは、図形認識をトレーニングするための問題である。本例では、丸、三角、四角の形状認識についてトレーニングする。図９Ｈは、誤答した場合であり、「おしい」の文字が表示されている。図９Ｉは、数字の大小をトレーニングするための問題である。図９Ｊは、お金の計算をトレーニングするための問題である。図９Ｋ、９Ｌは、計算に関する問題である。図９Ｍは、名称記憶に関する問題である。
【００４９】
図７に戻り、被験者からの解答（選択肢の選択）があると、制御部１１は、正誤を判定し、判定結果を表示部１７に表示する（Ｓ１５）。例えば、正解の場合、図９Ｃに示すように「○」を表示し、不正解の場合、図９Ｈに示すように「おしい」または「×」を表示する。
【００５０】
選択された全ての問題が提示されるまで上記の処理を繰り返す（Ｓ１４〜Ｓ１６）。
【００５１】
全ての問題が提示され、解答されると、制御部１１は、図１０に示すように、解答結果（問題毎の正解率や解答時間等）を表示部１７に表示する（Ｓ１７）。
【００５２】
最後に、制御部１１は、被験者のトレーニングの実施結果すなわち各問題に対する解答結果を解答結果データベース３４に記録（更新）する（Ｓ１８）。すなわち、制御部１１は、問題毎に、経過時間、正誤、被験者の選択した解答（選択肢）等の情報を、解答結果データベース３４に記録（更新）する。
【００５３】
以上のように、本実施形態の認知症予防装置１によれば、被験者を所定の条件に基づきグループ分けし、グループに応じた問題を提供する。これにより、被験者の状態に応じて、より効果が期待できると考えられる問題を提示することが可能となる。
【００５４】
さらに、本実施形態の認知症予防装置１によれば、問題に対する解答結果を解答結果データベース３４に蓄積していく。そのため、解答結果データベース３４に蓄積されたデータ及び別途行ったＴＤＡＳの結果を参照することで、各問題について各被験者のグループにおいて効果の有無を検証することができる。そして、その検証結果を基に問題データベース３３を更新することで、被験者の状態に応じたより適切な問題を被験者に提示することが可能となる。
【００５５】
なお、上記の例では、被験者のグループ分けは、性別、年齢、認知症進行レベルおよび障害される機能に基づき行った。しかし、被験者のグループ分けの仕方はこれに限定されない。例えば、認知症進行レベルのみに基づき被験者のグループ分けを行っても良い。または、認知症進行レベルと、性別または年齢とに基づき被験者のグループ分けを行っても良い。または、認知症進行レベルと、他の被験者の条件（習慣、学歴、体格等）とに基づき被験者のグループ分けを行っても良い。
【００５６】
また、上記の例では、各種データベース３３〜３４やデータファイル３５を、認知症予防装置１内に保持した例を説明した。しかし、これらのデータベース３３〜３４やデータファイル３５は、外部のサーバに保持しておいてもよい。その場合、認知症予防装置１は、必要に応じて外部のサーバからそれらのデータをダウンロードすればよい。
【００５７】
３．効果の確認
上記の認知症予防装置１を用いて実際に認知症と判断されている二人の被験者に対してトレーニング（認知症予防プログラム）を行ってもらい、その結果を検証した。トレーニングにおいては各被験者の属性（性別、年齢、認知症進行レベル（ＴＤＡＳ得点））に基づきグループ分けを行い、グループに対応した問題を各被験者に提示した。以下に、その検証結果を示す。
（１）被験者Ａ
・性別：男性
・年齢：７５歳
・認知症進行レベル：認知症
・ＴＤＡＳ得点：３５点
・要介護度：要介護１
・暴言暴力あり、不安感あり、感情表現が乏しい
上記の属性を持つ被験者Ａに対して、週３回のトレーニングをしてもらった。トレーニングを開始して３５日後には、不機嫌になることが少なく、笑顔がでるようになった。また、４０日後には、積極的に洗濯物干しを希望したり、４３日後には、隣の人に一緒にパズルをしようと話しかけたりする等、積極性が見られるようになった。４５日後に、再度ＴＤＡＳを実施したところ、２６点であり、改善が見られた。トレーニングにおいて、正解することが自信に繋がったように思われる。家族より、約一月半のトレーニングの結果、以前より笑顔と意欲の向上が見られるようになったとの意見を得た。
【００５８】
（２）被験者Ｂ
・性別：女性
・年齢：８３歳
・認知症進行レベル：認知症
・ＴＤＡＳ得点：２９点
・要介護度：要介護１
・もの忘れ、顔が憶えられない
上記の属性を持つ被験者Ｂに対して、週３回のトレーニングをしてもらった。トレーニングを開始して２８日後には、笑顔が出るようになった。また、トレ-ニングが楽しみになってきた。４３日後に再度ＴＤＡＳを実施したところ、１７点であり、改善が見られた。以前は何もしなかったのに対して、５１日後には、被験者Ｂ自ら食器を洗っているところが確認され、積極性が見られた。また、以前は顔が覚えられなかったのに対して、６４日後には、隣人の方がデイサービスに通っておられるので一緒に行きたい旨の発言があり、顔を覚えていることがわかる発言が見られた。また、近所の人と一緒のデイサービスを楽しみにするようになった。家族より、約二ヶ月のトレーニングの結果、以前よりも活気が出て会話が増え、より積極的になったとの意見を得た。
【００５９】
以上のように、被験者Ａ、Ｂに対して行った本認知症予防装置１を用いたトレーニングにより、ＴＤＡＳ得点（認知症進行レベル）の改善が見られるとともに、不機嫌になることが少なくなったり、活気が出て会話が増加したり等、ＱＯＬ（Quality Of Life）においても改善が確認できた。
【００６０】
（実施の形態２）
実施の形態１で説明した認知症予防装置１が提供したトレーニング機能（認知症予防プログラム）を、ネットワークを通じて提供するようにしてもよい。例えば以下のようにシステムを構成してもよい。
【００６１】
図１１に、本実施形態の認知症予防システムの構成を示す。認知症予防システムは、認知症予防プログラム提供サーバ１１０と情報端末５０とを含む。認知症予防プログラム提供サーバ１１０と情報端末５０はネットワーク１００に接続され、ネットワーク１００を介して互いに通信が可能になっている。
【００６２】
認知症予防プログラム提供サーバ１１０は、実施の形態１で示した認知症予防装置１と同様の機能を提供するサーバであり、認知症予防装置１と同様の構成を有する。情報端末５０は、タブレット端末、パーソナルコンピュータ、スマートフォンのような端末である。認知症予防プログラム提供サーバ１１０は、インターフェース部（２５）を介して、ネットワーク１００上で情報端末５０と通信する。なお、認知症予防プログラム提供サーバ１１０、認知症データサーバ１２０及び情報端末５０には、以下に説明する機能を実行するための専用のソフトウェア（アプリケーションプログラム）が実装されている。
【００６３】
情報端末５０は、特定のＵＲＬに基づき提供サーバ１１０に接続する。認知症予防プログラム提供サーバ１１０は、情報端末５０に対して被験者ＩＤとパスワードの入力を要求する。被験者により、情報端末５０から被験者ＩＤとパスワードが入力されると、認知症予防プログラム提供サーバ１１０は、入力された被験者ＩＤとパスワードにしたがい認証を行う。
【００６４】
認証がＯＫであれば、認知症予防プログラム提供サーバ１１０は、被験者ＩＤから被験者を特定し、その被験者に応じたトレーニング問題を選択し、選択した問題のデータを情報端末５０に送信する。
【００６５】
情報端末５０は、受信したデータに基づき、トレーニング問題を表示部に表示し、被験者の入力に応じて問題の提示を進行させていく（このときの処理は実施の形態１で示したとおりである）。
【００６６】
全ての問題の提示／解答が終了すると、情報端末５０はその結果をネットワークを介して認知症予防プログラム提供サーバ１１０に送信する。認知症予防プログラム提供サーバ１１０は、受信した結果に基づき解答結果データベース３４を更新する。
【００６７】
以上のような構成によれば、制御プログラム３１や各種データベース３２〜３４等を情報端末５０に格納しておく必要がなく、また、ネットワークに接続できる環境にあれば、いつでも認知症予防プログラムを利用できることから、被験者の利便性を向上できる。
【００６８】
なお、解答結果データベース３４に蓄積されたデータ及びＴＤＡＳの結果を匿名化した上で、ネットワーク上のサーバ（認知症データサーバ）１２０に集約し、ネットワーク上で所定のユーザにまとめて提供できるようにしてもよい。これにより、多くの研究者等が認知症に関するデータを共有し、活用できるようになるため、認知症分野の研究が促進されることが期待される。
【００６９】
（まとめ）
上記の実施形態は以下の認知症予防システムの思想を開示している。
【００７０】
認知症予防システムは、認知症を予防するためのトレーニングに用いる問題を提示する認知症予防システムである。認知症予防システムは、認知症の進行に関して被験者をグループ分けし、当該グループ毎に問題に関する情報を管理する問題データベース（３３）を格納するデータ記憶手段（３０）と、被験者に提示する問題を決定する制御手段（１１）と、を備える。制御手段（１１）は、問題データベース（３３）を参照して、被験者が属するグループに基づいて前記被験者に提示する問題を決定し、被験者に提示する。この構成により、被験者個々の状況に応じた、より適切な問題を被験者に提示することができる。
【００７１】
グループは、被験者の性別、年齢及び認知症の進行レベルに基づいて分類されてもよい。により、被験者の性別や年齢を考慮した被験者個々の状況に応じた、より適切な問題を被験者に提示することができる。
【００７２】
認知症予防システムは、問題毎に、被験者の問題に対する解答結果及び解答までの経過時間を管理する結果データベース（３４）をさらに備えてもよい。制御手段（１１）は、被験者毎に及び問題毎に、問題に対する被験者の解答結果及び解答までの経過時間を結果データベース（３４）に記録してもよい。この構成により、結果データベースに、各問題に対する解答結果等を蓄積できるため、この蓄積されたデータを参照して、各問題の効果を判断することができる。そして、その判断結果に基づいて、被験者に対してより効果が期待できる問題が提示できるように問題データベースを更新することができる。
【００７３】
認知症予防システムは、表示手段（１７）をさらに備えてもよい。制御手段（１１）は、決定した問題を表示手段（１７）に表示させてもよい。
【００７４】
または、認知症予防システムは、外部情報端末（５０）と通信するためのインターフェース部（２５）をさらに備えてもよい。制御手段（１１）は、インターフェース部を介して、決定した問題を外部情報端末（５０）に送信してもよい。
【符号の説明】
【００７５】
１  認知症予防装置
１１  制御部
１７  表示部
１９  操作部
２５  インターフェース部
３０  データ記憶部
３１  制御プログラム
３２  被験者データベース
３３  問題データベース
３４  解答結果データベース
３５  問題データファイル
【図１】
2015180933.tif 000003
【図２】
2015180933.tif 000004
【図３】
2015180933.tif 000005
【図４】
2015180933.tif 000006
【図５】
2015180933.tif 000007
【図６】
2015180933.tif 000008
【図７】
2015180933.tif 000009
【図１１】
2015180933.tif 000010
【図８】
2015180933.tif 000011
【図９Ａ】
2015180933.tif 000012
【図９Ｂ】
2015180933.tif 000013
【図９Ｃ】
2015180933.tif 000014
【図９Ｄ】
2015180933.tif 000015
【図９Ｅ】
2015180933.tif 000016
【図９Ｆ】
2015180933.tif 000017
【図９Ｇ】
2015180933.tif 000018
【図９Ｈ】
2015180933.tif 000019
【図９Ｉ】
2015180933.tif 000020
【図９Ｊ】
2015180933.tif 000021
【図９Ｋ】
2015180933.tif 000022
【図９Ｌ】
2015180933.tif 000023
【図９Ｍ】
2015180933.tif 000024
【図１０】
2015180933.tif 000025